(57)【要約】【課題】天板等を上げ下げする操作によってその高さ位置を確実に所望の位置に調節することができる支柱の伸縮機構を実現する。【解決手段】支柱２を伸張させる際、内筒４に設けられている可動ピン２０が外筒３に設けられているピン係止部１５Ｕに強制的に導入されて係止されるので、可動ピン２０がピン係止部１５Ｕに嵌らずにその位置を通り越してしまうという不具合は生じない。また、可動ピン２０がピン係止部１５Ｕに係止されている状態から内筒４を更に伸張方向に移動させる操作を行うことにより、ピン係止部１５Ｕによる可動ピン２０の係止状態が解除され、可動ピン２０が保持部２３に強制的に導入されて直線部１４内に保持された状態になるので、操作者に認識されることなく内筒４が下降可能状態になるという不具合も生じない。【選択図】図４
2011212378.tif 000002
【特許請求の範囲】
【請求項１】
外筒とこれに挿入された内筒とを軸方向に相対移動させることにより伸縮可能に構成された支柱の伸縮機構であって、
前記外筒内に固定して設けられた固定部材と、
前記内筒に設けられた可動ピンと、を有し、
前記固定部材は、
前記内筒に摺動可能に挿入された内筒支持部と、
前記内筒支持部に設けられたピン軌道規制部材と、を有し、
前記内筒支持部には、カム孔が形成されており、
前記カム孔は、前記外筒に対する前記内筒の前記軸方向への移動に伴って前記可動ピンを前記軸方向に案内する直線部と、前記外筒に対し前記内筒を伸張させた位置に簡易固定するべく前記直線部に連通させて形成されたピン係止部とを有し、
前記可動ピンは、前記カム孔に挿通され、且つその両端が前記内筒に形成されたピン支持部に支持されており、
前記ピン支持部は、前記可動ピンを前記ピン係止部に導入するためのガイド部と、前記可動ピンを前記直線部内に保持するための保持部とを連通させてなり、
前記ピン軌道規制部材は、
前記可動ピンが前記直線部内に在る状態で前記外筒に対し前記内筒を伸張方向に移動させたときには前記可動ピンを前記ピン係止部に強制的に導入し、前記可動ピンが前記ピン係止部に係止されている状態から前記内筒を更に伸張方向に移動させたときには前記可動ピンを前記保持部に強制的に導入するように前記ピンの軌道を規制することを特徴とする、支柱の伸縮機構。
【請求項２】
前記ピン軌道規制部材は、前記直線部を移動してくる前記可動ピンを待ち受けるようにその先端部を前記直線部に臨ませて前記ピン係止部の近傍に設けられており、
前記直線部を移動してきた前記可動ピンをその先端部に当接させて前記ピン係止部に案内する、請求項１記載の支柱の伸縮機構。
【請求項３】
前記ピン軌道規制部材は、前記ピン係止部内から前記直線部への前記可動ピンの移動に伴ってその側面が押されることにより回転し、その回転終端位置にて当該側面によって前記可動ピンを前記保持部に案内する、請求項２記載の支柱の昇降機構。
【請求項４】
前記ピン軌道規制部材を前記ピン係止部側に回動させるべく付勢する第１付勢部材を有する、請求項３記載の支柱の昇降機構。
【請求項５】
前記可動ピンが前記内筒支持部内に在るときは当該可動ピンを前記内筒支持部側に付勢し、前記可動ピンが前記保持部内に在るときは当該可動ピンを前記保持部側に付勢する第２付勢部材を有している、請求項１乃至４のいずれかに記載の支柱の昇降機構。
【発明の詳細な説明】
【技術分野】
【０００１】
本発明は、机やテーブルの天板等、支持対象物を昇降自在に支持する支柱の伸縮機構に関する。
【背景技術】
【０００２】
机やテーブルの天板の高さ位置を調節する技術として、天板を支える支柱の長さを調節可能としたものがある。この種の支柱は、天板の高さ位置調節方向（上下方向）に互いにスライドする二部材の相対位置を段階的に調節し簡易に固定できるように構成されている（例えば、特許文献１、特許文献２）。図７乃至図９は従来の構成を本願発明のものと比較しやすく例示したものである。
【０００３】
図７乃至図９に例示する支柱５０は、外筒５１と、外筒５１内に軸方向に移動自在に挿入された内筒５２とを有する。外筒５１の下端部には床面に接する座体やキャスタ等が取り付けられている。内筒５２の上端部に天板が固定され、外筒５１に対し内筒５２と天板が一体となって上下する構造になっている。
【０００４】
外筒５１内には、この支柱５０の伸縮機構５３を構成する固定部材５４が設けられている。固定部材５４は、外筒５１の内壁に嵌合する基部５５と、基部５５の上面中央部から上方に延びる内筒支持部５６とを有する。基部５５は外筒５１の内壁に嵌合させた状態で、外筒５１の外側から挿通されたボルト５７などによって外筒５１に強固に固定されている。内筒支持部５６は、内筒５２の下端部に挿入されている。内筒支持部５６は内筒５２の内壁に摺動可能に嵌合しており、この内筒支持部５６に案内されて内筒５２が外筒５１に対して同軸的に上下にスライドする構造になっている。
【０００５】
内筒支持部５６には、その下端近傍から上端近傍にかけてカム孔５８が形成されている。内筒５２には、カム孔５８内を移動する円柱状の可動ピン５９が設けられている。可動ピン５９は、内筒５２の下端近傍の水平方向に相対向する位置に形成された一対のピン支持孔６０に架け渡して設けられ、カム孔５８に挿通されている。
【０００６】
内筒支持部５６には、その下端近傍から上端近傍にかけてカム孔５８が形成され、カム孔５８に可動ピン５９が水平に挿通されている。可動ピン５９は、内筒５２の下端近傍の水平方向に相対向する位置に形成された一対のピン支持孔６０に架け渡して設けられている。
【０００７】
カム孔５８は、内筒５２の移動に伴って可動ピン５９を上下方向に案内する直線部６３と、上下に離間させて直線部６３の片側（図示の例では左側）二カ所に形成されたピン係止部６４Ｌ、６４Ｕとを有している。下側のピン係止部６４Ｕは、天板の高さ位置を低位置に調節し保持するための係止部である。上側のピン係止部６４Ｕは、天板の高さ位置を高位置に調節し保持するための係止部である。
【０００８】
ピン支持孔６０は、可動ピン５９をピン係止部６４Ｌ、６４Ｕに導入するためのガイド部６１と、可動ピン５９を直線部６３内に保持するための保持部６２とを連通させてなる。保持部６２は、ガイド部６１の一端から下方に直角に折れ曲がるようにして形成されている。そして、内筒５２がその移動可能範囲の最下位置に在るときにガイド部６１が下側のピン係止部６４Ｌと水平方向（可動ピン５９の軸方向）に連通し、その位置から内筒５２がその移動可能範囲の最上位置に到達する手前の所定のタイミングでガイド部６２が上側のピン係止部６４Ｕと水平方向に連通するように構成されている。
【０００９】
内筒５２には、可動ピン５９を付勢するスプリング６５が設けられている。スプリング６５は、可動ピン５９がガイド部６１内に在るときは可動ピン５９をガイド部５９の先端側に付勢し（図７及び図８参照）、可動ピン５９が保持部６２内に在るときは可動ピン５９を保持部６２の先端側に付勢する（図９参照）。
【００１０】
上記のように構成された従来の伸縮機構５３の動作は以下のとおりである。
図７に示すように、内筒５２がその移動可能範囲の最下位置に在るとき、すなわち天板の高さ位置が低位置に調節されているとき、可動ピン５９は、ガイド部６１の先端部に嵌合した状態で下側のピン係止部６４Ｌに係止されている。この状態から天板を持ち上げて内筒５２を上昇させていくと、可動ピン５９はスプリング６５の付勢力に抗してガイド部６１の基端側に移動し、下側のピン係止部６４Ｌから出て直線部６３に入った後、内筒５２と共に上昇していく。そして、ガイド部６０が上側のピン係止部６４Ｕと水平方向に連通する高さまで内筒５２が上昇すると、図８に示すように、可動ピン５９はスプリング６５の付勢力によってガイド部６１の先端部に移動するとともに上側のピン係止部６４Ｕに係止される。これにより天板の高さが高位置に調節され保持される。
【００１１】
天板の高さ位置を高位置から低位置に戻す際には、図８の状態から天板をその可能範囲の最上位置に一旦持ち上げてから下げる操作を行う。天板をその可能範囲の最上位置に一旦持ち上げる操作により、可動ピン５９がスプリング６５の付勢力に抗してガイド部６１の基端側に移動しつつ、カム孔５８の上端縁に案内されながら内筒５２と共に上昇していく。そして、カム孔５８の上端に達した時点で保持部６２に嵌合する。図９はこの時の状態を示している。この状態から天板を下げて行くと、可動ピン５９は保持部６２に嵌合した状態のまま、直線部６３内を下降し、直線部６３の下端に当接する。可動ピン５９が直線部６３の下端に当接した後も内筒５２が更に若干下降することにより、可動ピン５９がスプリング６５の付勢力に抗して保持部６２から離脱する。そして、可動ピン５９は、スプリング６５の付勢力によってガイド部６０の基端側に移動するとともに下側のピン係止部６４Ｌに係止される。これにより天板の高さが低位置に調節され保持される。
【先行技術文献】
【特許文献】
【００１２】
【特許文献１】特開平０２−１９０６０号
【発明の開示】
【発明が解決しようとする課題】
【００１３】
上述した従来の伸縮機構５４によれば、天板を上げ下げする操作によって、天板の高さ位置を高位置または低位置に調節することができる。
しかし、従来の伸縮機構５４では、天板の高さ位置を低位置から高位置に変更する際、天板を勢いよく上げると、可動ピン５９が上側のピン係止部６４Ｕに嵌らずにその位置を通り越し、カム孔５８の上端に達してしまうことがある。このとき、可動ピン５９はガイド部６１から外れて保持部６２に嵌合する。使用者がそのことに気づかず、天板を放した場合、可動ピン５９は保持部６２に嵌合した状態のまま、直線部６３内を下降するため、天板が内筒５２と共に落下状態で急激に下降するという問題があった。
【００１４】
本発明が解決しようとする課題は、天板等を上げ下げする操作によってその高さ位置を確実に所望の位置に調節することができる支柱の伸縮機構を実現することにある。
【課題を解決するための手段】
【００１５】
上記課題を解決するために、本発明は、外筒とこれに挿入された内筒とを軸方向に相対移動させることにより伸縮可能に構成された支柱の伸縮機構であって、
前記外筒内に固定して設けられた固定部材と、
前記内筒に設けられた可動ピンと、を有し、
前記固定部材は、
前記内筒に摺動可能に挿入された内筒支持部と、
前記内筒支持部に設けられたピン軌道規制部材と、を有し、
前記内筒支持部には、カム孔が形成されており、
前記カム孔は、前記外筒に対する前記内筒の前記軸方向への移動に伴って前記可動ピンを前記軸方向に案内する直線部と、前記外筒に対し前記内筒を伸張させた位置に簡易固定するべく前記直線部に連通させて形成されたピン係止部とを有し、
前記可動ピンは、前記カム孔に挿通され、且つその両端が前記内筒に形成されたピン支持部に支持されており、
前記ピン支持部は、前記可動ピンを前記ピン係止部に導入するためのガイド部と、前記可動ピンを前記直線部内に保持するための保持部とを連通させてなり、
前記ピン軌道規制部材は、
前記可動ピンが前記直線部内に在る状態で前記外筒に対し前記内筒を伸張方向に移動させたときには前記可動ピンを前記ピン係止部に強制的に導入し、前記可動ピンが前記ピン係止部に係止されている状態から前記内筒を更に伸張方向に移動させたときには前記可動ピンを前記保持部に強制的に導入するように前記ピンの軌道を規制することを特徴としている。
この構成によれば、可動ピンがカム孔の直線部内に在る状態で外筒に対し内筒を伸張方向に移動させたときに、可動ピンがピン係止部に強制的に導入されて係止されるので、内筒を伸張方向に勢いよく移動させても、可動ピンがピン係止部に嵌らずにその位置を通り越してしまうという不具合は生じない。また、可動ピンがカム孔のピン係止部に係止されている状態から内筒を更に伸張方向に移動させる操作を行うことにより、ピン係止部による可動ピンの係止状態が解除され、可動ピンが保持部に強制的に導入されて直線部内に保持された状態になるので、操作者に認識されることなく内筒が下降可能状態になるという不具合も生じない。
【００１６】
本発明の支柱の伸縮機構において、前記ピン軌道規制部材は、前記直線部を移動してくる前記可動ピンを待ち受けるようにその先端部を前記直線部に臨ませて前記ピン係止部の近傍に設けられており、前記直線部を移動してきた前記可動ピンをその先端部に当接させて前記ピン係止部に案内するように構成されていることが望ましい。
この構成によれば、可動ピンがピン係止部に係止されたことを、可動ピンがピン軌道規制部材に当接したときの音や感触によって確実に操作者に認知させることができる。
【００１７】
また、本発明の支柱の伸縮機構において、前記ピン軌道規制部材は、前記ピン係止部内から前記直線部への前記可動ピンの移動に伴ってその側面が押されることにより回転し、その回転終端位置にて前記可動ピンを前記保持部に案内するように構成されていることが望ましい。
この構成によれば、可動ピンがピン係止部から離脱し保持部に嵌合したこと、すなわち内筒が下降可能状態になったことを、ピン軌道規制部材がその回転終端位置で停止したときの音や感触によって確実に操作者に認知させることができる。
【００１８】
また、本発明の支柱の伸縮機構において、前記ピン軌道規制部材を前記ピン係止部側に回動させるべく付勢する第１付勢部材を有することが望ましい。
この構成によれば、直線部を移動してくる可動ピンを待ち受ける姿勢にピン軌道規制部材を保持できる。また、可動ピンがピン係止部から離脱して保持部に嵌合し、内筒の移動に伴って可動ピンとピン軌道規制部材との係合が解けたときには、ピン軌道規制部材をその回転終端位置から可動ピンを待ち受ける姿勢に強制的に復帰させることができる。そして、このときに発生する音や感触によって、可動ピンがピン係止部から離脱し保持部に嵌合したこと、すなわち内筒が下降可能状態になったことを、確実に操作者に認知させることができる。
【００１９】
また、本発明の支柱の伸縮機構において、前記可動ピンが前記ガイド部内に在るときは当該可動ピンを前記ガイド部側に付勢し、前記可動ピンが前記保持部内に在るときは当該可動ピンを前記保持部側に付勢する第２付勢部材を有していることが望ましい。
この構成によれば、外筒に対する内筒の伸縮方向への移動操作に伴って可動ピンをガイド部又は保持部に確実に嵌合させるともに、嵌合時に発生する音や感触によって、可動ピンの嵌合位置が切り替わったことを操作者に認知させることができる。
【発明の効果】
【００２０】
本発明によれば、可動ピンがカム孔の直線部内に在る状態で外筒に対し内筒を伸張方向に移動させたときに、可動ピンがピン係止部に強制的に導入されて係止され、可動ピンがカム孔のピン係止部に係止されている状態から内筒を更に伸張方向に移動させる操作を行うことにより、可動ピンが保持部に強制的に導入されて直線部内に保持された状態になるので、支柱によって支持されている天板等を上げ下げする操作によってその高さ位置を確実に所望の位置に調節することができ、また、操作者に認識されることなく天板等が下降可能状態になるという不具合も生じない。
【図面の簡単な説明】
【００２１】
【図１】本発明に係る伸縮機構を備えた支柱の外観を例示する要部側面図
【図２】本発明に係る伸縮機構の実施形態を例示する要部断面図
【図３】本発明に係る伸縮機構の実施形態を例示する要部断面図
【図４】本発明に係る伸縮機構の実施形態を例示する要部断面図
【図５】本発明に係る伸縮機構の実施形態を例示する要部断面図
【図６】実施形態におけるピン軌道規制部材の動作説明図
【図７】従来の伸縮機構を例示する要部断面図
【図８】従来の伸縮機構を例示する要部断面図
【図９】従来の伸縮機構を例示する要部断面図
【発明を実施するための形態】
【００２２】
以下、本発明の実施形態について図１乃至図５を参照して説明する。
この実施形態の伸縮機構１は、机やテーブルの天板（支持対象物）を昇降自在に支持する支柱２の長さを調節するためのものである。支柱２は、外筒３とこれに挿入された内筒４とを軸方向（上下方向）に相対移動させることにより伸縮可能に構成されている。外筒３の下端部には床面に接する座体やキャスタ等が取り付けられている。内筒４の上端部に天板が固定され、外筒３に対し内筒４と天板が一体となって上下する構造になっている。外筒３及び内筒４は円筒状の金属製の筒体であり、外筒３の上端部には、内筒４を外筒３に対して同心的に保持するプラスチック製のトップキャップ５が嵌め付けて設けられている。
【００２３】
伸縮機構１は、外筒３内に固定して設けられた固定部材１０と、内筒４に設けられた円柱状の可動ピン２０とを有する。
【００２４】
固定部材１０は、外筒３の内壁に嵌合する基部１１と、基部１１の上面中央部から上方に延びる内筒支持部１２と、内筒支持部１２に設けられたピン軌道規制部材３０とを有する。基部１１及び内筒支持部１２は、硬質樹脂により一体成型されている。基部１１は外筒３の内壁に嵌合させた状態で、外筒３の外側から挿通されたボルト４０などによって外筒３に強固に固定されている。内筒支持部１２は、内筒４の下端部に挿入されている。内筒支持部１２は内筒４の内壁に摺動可能に嵌合しており、この内筒支持部１２に案内されて内筒４が外筒３に対して同軸的に上下にスライドする構造になっている。
【００２５】
内筒支持部１２には、その下端近傍から上端近傍にかけてカム孔１３が形成され、カム孔１３に可動ピン２０が水平に挿通されている。可動ピン２０は、内筒４の下端近傍の水平方向に相対向する位置に形成された一対のピン支持孔（ピン支持部）２１に架け渡して設けられている。
【００２６】
カム孔１３は、内筒４の移動に伴って可動ピン２０を上下方向に案内する直線部１４と、互いに上下に離間させて直線部１４の片側（図示の例では左側）二カ所に形成されたピン係止部１５Ｌ、１５Ｕとを有している。下側のピン係止部１５Ｕは、天板の高さ位置を低位置に調節し保持するための係止部であり、直線部１４の下端部を片側（図示の例では左側）斜め下向きに膨出させて形成されている。上側のピン係止部１５Ｕは、天板の高さ位置を高位置に調節し保持するための係止部であり、直線部１４の上端近傍を片側（図示の例では左側）斜め下向きに膨出させて形成されている。
【００２７】
ピン支持孔２１は、可動ピン２０をピン係止部１５Ｌ、１５Ｕに導入するためのガイド部２２と、可動ピン２０を直線部１４内に保持するための保持部２３とを連通させてなる。保持部２３は、ガイド部２２の基端（図示の例では右端）から下方に直角に折れ曲がるようにして形成されている。そして、内筒４がその移動可能範囲の最下位置に在るときにガイド部２２が下側のピン係止部１５Ｌと水平方向（可動ピン２０の軸方向）に連通し、その位置から内筒４がその移動可能範囲の最上位置に到達する手前の所定のタイミングでガイド部２２が上側のピン係止部１５Ｕと水平方向に連通するように構成されている。
【００２８】
内筒４には、可動ピン２０を付勢するスプリング（第２付勢部材）２５が設けられている。スプリング２５は、可動ピン２０がガイド部２２内に在るときは可動ピン２０をガイド部２２の先端側（図示の例では左側）に付勢し、可動ピン２０が保持部２３内に在るときは可動ピン２０を保持部２３の先端側（下側）に付勢する。この例では、スプリング２５として線状スプリングを使用し、その中間部を内筒４の外面に形成されたフック部２６に掛け、両端部を可動ピン２０の両端部に掛けることにより、可動ピン２０にバネ弾性による付勢力を作用させている。内筒４には、スプリング２５の外れを防止するとともにスプリング２５を可動ピン２０側に押し付けるべく螺子２７が螺着されている。
【００２９】
ピン軌道規制部材３０は、内筒４の上昇に伴って直線部１４を移動してくる可動ピン２０を待ち受けるようにその下端部（先端部）を直線部１４に臨ませて上側のピン係止部１５Ｕの近傍に設けられ、直線部１４を移動してきた可動ピン２０をその下端部に当接させてピン係止部１５Ｕに案内するように構成されている。
【００３０】
ピン軌道規制部材３０は、その上端部が枢軸３１を介して内筒支持部２２に連結され、上下方向（図中、左右方向）に回転可能に保持されている。ピン軌道規制部材３０の下端部には、図６（ａ）に示すように、ピン軌道規制部材３０の回動中心（すなわち枢軸３１の軸心）よりもピン係止部１５Ｕ側（図示の例では左側）に凹部３０ｃが形成されており、内筒４の上昇に伴って直線部１４を移動してきた可動ピン２０が凹部３０ｃの内面（下面）３０ａに当接する。そして、図６（ａ）の状態から可動ピン２０が内筒４と共に更に引き上げられると、図６（ｂ）に示すように、ピン軌道規制部材３０が可動ピン２０に押上げられることによりピン係止部１５Ｕ側に少し回動し、可動ピン２０をピン係止部１５Ｕに案内する仕組みになっている。
【００３１】
また、ピン軌道規制部材３０は、ピン係止部１５Ｕ内から直線部１４への可動ピン２０の移動に伴ってその先端部の側面３０ｂが押されることにより回転し、その回転終端位置にて可動ピン２０を保持部２３に案内するように構成されている。内筒支持部２２には、ピン軌道規制部材３０をピン係止部１５Ｕ側に回動させるべく付勢するスプリング（第１付勢部材）３２が設けられている。
【００３２】
上記のように構成された伸縮機構１の動作は以下のとおりである。
図３に示すように、内筒４がその移動可能範囲の最下位置に在るとき、すなわち天板の高さ位置が低位置に調節されているとき、可動ピン２０は、ピン支持孔２１のガイド部２２の先端部に嵌合した状態で下側のピン係止部１５Ｌに係止されている。この状態から天板を持ち上げて内筒４を上昇させていくと、可動ピン２０はピン係止部１５Ｌの上端縁部１５ｂに沿って斜め上方に移動するとともに、スプリング２５の付勢力に抗してガイド部２２の基端側に移動し、下側のピン係止部１５Ｌから出て直線部１４に入った後、直線部１４の側縁１４ａに沿って内筒４と共に上昇していく。そして、ピン軌道規制部材３０の下端部に設けられた凹部３０ｃに当接する（図６（ａ））。この状態から天板を持ち上げて内筒４を更に上昇させようとすると、可動ピン２０に押し上げられてピン軌道規制部材３０がピン係止部１５Ｕ側に少し回動する（図６（ｂ））。このピン軌道規制部材３０のピン係止部１５Ｕ側への回動により、可動ピン２０が凹部３０ｃの内面（下面）３０ａに案内されて、図４に示すように上側のピン係止部１５Ｕに強制的に導入され係止される。これにより天板の高さが高位置に調節され保持される。
【００３３】
天板の高さ位置を高位置から低位置に戻す際には、図４の状態から天板を若干更に持ち上げる操作を行う。この操作により、可動ピン２０がカム孔１３の上端縁部１５ａに沿って斜め上方に移動する。この可動ピン２０の動きによりピン軌道規制部材３０はその側面３０ｂが押されるため、スプリング３２の付勢力に抗して回転する。そして、ピン軌道規制部材３０がその回転終端位置に達すると同時に、可動ピン２０はピン支持孔２１のガイド部２２から離脱し、スプリング２５の付勢力によって保持部２３に強制的に導入される。これにより図５に示すように可動ピン２０が直線部１４内に保持された状態、すなわち内筒４を下降させることが可能な状態になる。この状態から天板を下降させて行くと、可動ピン２０は保持部２３に嵌合した状態のまま、直線部１４内を下降し、直線部１４の下端に当接する。可動ピン２０が直線部１４の下端に当接した後も内筒４が更に若干下降することにより、可動ピン２０がスプリング２５の付勢力に抗して保持部２３から離脱する。そして、可動ピン２０は、スプリング２５の付勢力によってガイド部２２の先端側に移動するとともに下側のピン係止部１５Ｌに係止される。これにより天板の高さが低位置に調節され保持される。
【００３４】
上記のように構成された伸縮機構１によれば、可動ピン２０がカム孔１３の直線部１４内に在る状態で外筒３に対し内筒４を伸張方向に移動させたときに、可動ピン２０が上側のピン係止部１５Ｕに強制的に導入されて係止されるので、内筒４を伸張方向に勢いよく移動させても、可動ピン２０が上側のピン係止部１５Ｕに嵌らずにその位置を通り越してしまうという不具合は生じない。また、可動ピン２０がカム孔１３の上側のピン係止部１５Ｕに係止されている状態から内筒４を更に伸張方向に移動させる操作を行うことにより、上側のピン係止部１５Ｕによる可動ピン２０の係止状態が解除され、可動ピン２０が保持部２３に強制的に導入されて直線部１４内に保持された状態になるので、操作者に認識されることなく内筒４が下降可能状態になるという不具合も生じない。
【００３５】
また、ピン軌道規制部材３０が、直線部１４を移動してくる可動ピン２０を待ち受けるようにその先端部を直線部１４に臨ませて上側のピン係止部１５Ｕの近傍に設けられており、直線部１４を移動してきた可動ピン２０をその先端部に当接させて上側のピン係止部１５Ｕに案内するように構成されているので、可動ピン２０が上側のピン係止部１５Ｕに係止されたことを、可動ピン２０がピン軌道規制部材３０に当接したときの音や感触によって確実に操作者に認知させることができる。更にこの実施形態においては、ピン軌道規制部材３０が可動ピン２０によって押し上げられることによりピン係止部１５Ｕ側に回動して、可動ピン２０を上側のピン係止部１５Ｕに案内するように構成されているので、可動ピン２０が上側のピン係止部１５Ｕに係止されたことを、ピン軌道規制部材３０が可動ピン２０に押し上げられて回動したときの音や感触によって、より確実に操作者に認知させることができる。
【００３６】
また、ピン軌道規制部材３０は、上側のピン係止部１５Ｕ内から直線部１４への可動ピン２０の移動に伴ってその側面３０ａが押されることにより回転し、その回転終端位置にて可動ピン２０を保持部２３に案内するように構成されているので、可動ピン２０が上側のピン係止部１５Ｕから離脱し保持部２３に嵌合したこと、すなわち内筒４が下降可能状態になったことを、ピン軌道規制部材３０がその回転終端位置で停止したときの音や感触によって確実に操作者に認知させることができる。
【００３７】
また、ピン軌道規制部材３０が上側のピン係止部１５Ｕ側に回動するようにスプリング３２によって付勢されているので、直線部１４を移動してくる可動ピン２０を待ち受ける姿勢にピン軌道規制部材３０を保持できる。また、可動ピン２０が上側のピン係止部１５Ｕから離脱して保持部２３に嵌合し、内筒４の移動に伴って可動ピン２０とピン軌道規制部材３０との係合が解けたときには、ピン軌道規制部材３０をその回転終端位置から可動ピン２０を待ち受ける姿勢に強制的に復帰させることができる。そして、このときに発生する音や感触によって、可動ピン２０が上側のピン係止部１５Ｕから離脱し保持部に嵌合したこと、すなわち内筒が下降可能状態になったことを、確実に操作者に認知させることができる。
【００３８】
また、可動ピン２０がガイド部２２内に在るときは可動ピン２０をガイド部２２の先端側に付勢し、可動ピン２０が保持部２３内に在るときは可動ピン２０を保持部２３側に付勢するスプリング２５を有していることにより、外筒３に対する内筒４の伸縮方向への移動操作に伴って可動ピン２０をガイド部２２又は保持部２３に確実に嵌合させるともに、嵌合時に発生する音や感触によって、可動ピン２０の嵌合位置が切り替わったことを操作者に認知させることができる。
【００３９】
なお、上記の実施形態では、机やテーブルの天板を昇降自在に支持する支柱２の伸縮機構１について説明したが、本発明の伸縮機構は、天板に限らずその他の支持対象物を昇降自在に支持する支柱の伸縮機構に適用することも可能である。
また、上記の実施形態では、天板の高さ位置を高低２位置に調節可能な構成を例示したが、上側のピン係止部１５Ｕと下側のピン係止部１５Ｌの間に更にピン係止部を設けて、３位置或いはそれ以上の高さ位置に調節可能な構成としてもよい。
【符号の説明】
【００４０】
１  伸縮機構
２  支柱
３  外筒
４  内筒
１０  固定部材
１２  内筒支持部
１３  カム孔
１４  直線部
１５Ｌ、１５Ｕ  ピン係止部
２０  可動ピン
２１  ピン支持孔（ピン支持部）
２２  ガイド部
２３  保持部
２５  スプリング（第２付勢部材）
３０  ピン軌道規制部材
３０ａ  下面
３０ｂ  側面
３２  スプリング（第１付勢部材）
【図１】
2011212378.tif 000003
【図２】
2011212378.tif 000004
【図３】
2011212378.tif 000005
【図４】
2011212378.tif 000006
【図５】
2011212378.tif 000007
【図６】
2011212378.tif 000008
【図７】
2011212378.tif 000009
【図８】
2011212378.tif 000010
【図９】
2011212378.tif 000011